(57)【要約】【課題】  マウスのようなポインティングデバイスを使用する外部機器と、当該外部機器と接続され映像表示を行う表示装置とからなる映像表示システムに関し、ポインティングデバイスの操作に応じて画像処理のモードを切り換えるにあたり、映像の欠落や表示の静止といった課題を極力抑制した映像表示システムを提供する。【解決手段】  映像モード切換え制御部１１６は、マウス使用可否情報とＨＰＤ情報によって、マウスの使用可否を判定し（Ｓ６０１）、マウスの使用が”可“の場合は、マウス操作有無情報に応じて、マウスの操作有無を判定する（Ｓ６０３）。マウスの操作が”有“の場合は、映像モードをゲームモードに設定することを画像処理部１０８に対して指示する（Ｓ６０５）。【選択図】  図５
2011120024.tif 000002
【特許請求の範囲】
【請求項１】
映像を表示する表示装置と、当該表示装置と通信可能に接続され、ポインティングデバイスによる操作が可能であり、かつ前記表示装置に対して映像信号の出力が可能な外部機器とからなる映像表示システムであって、
前記外部機器は、
当該外部機器において実行中のアプリケーションがポインティングデバイスを使用可能なアプリケーションであるか否かを判定し、判定結果を示す使用可否情報を生成する第１の生成手段と、
前記ポインティングデバイスの操作状態を検知し、当該操作状態を示す操作有無情報を生成する第２の生成手段と、
前記使用可否情報及び前記操作有無情報を前記表示装置に出力する出力手段と、
を有し、
前記表示装置は、
前記外部機器から入力された映像信号に対して画像処理を実行する際に発生する遅延時間が異なる少なくとも３つの映像モードを備え、当該少なくとも３つの映像モードのうち、任意の１つの映像モードを選択して前記外部機器から入力された映像信号に対して画像処理を実行する処理手段と、
前記外部機器から送信された前記使用可否情報及び前記操作有無情報を受信する受信手段と、
前記受信手段で受信した前記使用可否情報が、前記ポインティングデバイスの使用可を示す場合であり、かつ、前記受信手段で受信した前記操作有無情報が無操作を示す場合に、前記映像モードが最も遅延時間の長い映像モードに設定されている場合には、最も遅延時間の短い映像モード及び最も遅延時間の長い映像モード以外の映像モードに切り換える制御を行う切換手段と、
を有することを特徴とする映像表示システム。
【請求項２】
前記受信手段で受信した前記使用可否情報が、前記ポインティングデバイスの使用可を示す場合であり、かつ、前記受信手段で受信した前記操作有無情報が無操作を示す場合に、前記映像モードが最も遅延時間の長い映像モードに設定されている場合には、最も遅延時間の短い映像モード及び最も遅延時間の長い映像モード以外の映像モードに切り換える制御が前記切換手段によって実行された後、前記操作有無情報が無操作を示す状態から操作が有ることを示す状態に変化した場合、前記切換手段は、映像モードを最も遅延時間の短い映像モードに切り換える制御を行うことを特徴とする請求項１に記載の映像表示システム。
【請求項３】
前記表示装置と前記外部機器とは、ＨＤＭＩ規格に準拠したケーブルにより通信可能に接続されており、
前記使用可否情報及び前記操作有無情報は、ＨＤＭＩ規格におけるＣＥＣコマンドまたはＴＭＤＳデータに含まれるフレーム情報に含めて、前記外部機器から前記表示装置に送信されることを特徴とする請求項１または２に記載の映像表示システム。
【発明の詳細な説明】
【技術分野】
【０００１】
本発明は、マウスのようなポインティングデバイスを使用する外部機器と、当該外部機器と接続され映像表示を行う表示装置とからなる映像表示システムに関する。
【背景技術】
【０００２】
現在の表示装置は複数の画像処理モードを有している。画像処理においては、入力された映像信号をフレームメモリなどにバッファして画像を解析し、高画質処理や色処理などを実行するため、画像が入力されてから実際に出力されるまで数フレーム〜数十フレームの遅延が生じる。一方、ゲームなどをプレイする場合には、ユーザの操作と実際の表示のズレが悪影響を操作性に悪影響を及ぼすため、最低限の画像処理機能に絞って画像処理を実行することでフレーム遅延を極力抑制したゲームモードが備えられている。たとえば、こうした表示装置の代表的な製品であるＴＶにＰＣ等を接続し、マウスで操作をする場合には、操作レスポンスの早さが要求されるため、ＴＶの映像モードはゲームモードのような低遅延モードが適している。また、既存のＴＶでは、ユーザが接続端子ごとに低遅延モードか他モードかを設定できる。
【０００３】
今後はマウス接続が放送規格化されることから、マウス操作など、操作レスポンスが要求される場面と、コンテンツ視聴など高画質が要求される場面とが混在する機器が増えてくる。
【０００４】
特許文献１に、ユーザ操作の有無に応じて、低遅延モードか他のモードかを切換える方法が開示されている。この方法を用いると、同じ接続端子からの入力に対して、外部機器のメニュー画面を表示したときや、トリックプレイの実行時には、自動的に低遅延モードに切り換える。これにより、メニュー画面の操作やトリックプレイなどの操作のレスポンスを向上させることができるため、ユーザにとって便利である。
【先行技術文献】
【特許文献】
【０００５】
【特許文献１】特開２００９−３３４１５号公報
【発明の概要】
【発明が解決しようとする課題】
【０００６】
しかしながら、上述した特許文献１の技術は、高画質モードから低遅延モードへの切換は、遅れている映像を欠落させることになる。また、低遅延モードから高画質モードへの切換えは、高画質処理を実行するのに必要な大きなバッファリング処理が発生するため、モード切換時から高画質化処理をしている間は画面が静止状態になってしまうという課題が生じる。この２つのモードの映像遅延量の差が大きければ大きいほど、切換時の映像欠落、画面静止が目立ってしまい、好ましくない。
【０００７】
そこで、本発明は、マウスのようなポインティングデバイスを使用する外部機器と、当該外部機器と接続され映像表示を行う表示装置とからなる映像表示システムに関し、ポインティングデバイスの操作に応じて画像処理のモードを切り換えるにあたり、映像の欠落や表示の静止といった課題を極力抑制した映像表示システムを提供することを目的とする。
【課題を解決するための手段】
【０００８】
上記目的を達成するために、本発明の映像表示システムは、映像を表示する表示装置と、当該表示装置と通信可能に接続され、ポインティングデバイスによる操作が可能であり、かつ前記表示装置に対して映像信号の出力が可能な外部機器とからなる映像表示システムであって、前記外部機器は、当該外部機器において実行中のアプリケーションがポインティングデバイスを使用可能なアプリケーションであるか否かを判定し、判定結果を示す使用可否情報を生成する第１の生成手段と、前記ポインティングデバイスの操作状態を検知し、当該操作状態を示す操作有無情報を生成する第２の生成手段と、前記使用可否情報及び前記操作有無情報を前記表示装置に出力する出力手段と、を有し、前記表示装置は、前記外部機器から入力された映像信号に対して画像処理を実行する際に発生する遅延時間が異なる少なくとも３つの映像モードを備え、当該少なくとも３つの映像モードのうち、任意の１つの映像モードを選択して前記外部機器から入力された映像信号に対して画像処理を実行する処理手段と、前記外部機器から送信された前記使用可否情報及び前記操作有無情報を受信する受信手段と、前記受信手段で受信した前記使用可否情報が、前記ポインティングデバイスの使用可を示す場合であり、かつ、前記受信手段で受信した前記操作有無情報が無操作を示す場合に、前記映像モードが最も遅延時間の長い映像モードに設定されている場合には、最も遅延時間の短い映像モード及び最も遅延時間の長い映像モード以外の映像モードに切り換える制御を行う切換手段と、を有する。
【発明の効果】
【０００９】
以上説明したように、本発明によればポインティングデバイスの操作に応じて画像処理のモードを切り換えるにあたり、映像の欠落や表示の静止といった課題を極力抑制した映像表示システムを提供することが可能となる。
【図面の簡単な説明】
【００１０】
【図１】本発明に係る映像表示システムの構成図である。
【図２】実施例１に係る映像表示システムのブロック図である。
【図３】実施例１に係るＣＥＣデータの内容を示す図である。
【図４】実施例１に係るＴＶ１００が有する映像モード種別を示す図である。
【図５】実施例１に係るフローチャートである。
【図６】実施例１に係るシーケンス図である。
【図７】実施例２に係る映像表示システムのブロック図である。
【図８】実施例２に係るＴＭＤＳデータに含まれるＩｎｆｏｆｒａｍｅの内容を示す図である。
【図９】実施例２に係るＴＶ８００が有する映像モード種別を示す図である。
【図１０】実施例２に係るフローチャートである。
【図１１】実施例２に係るシーケンス図である。
【発明を実施するための形態】
【００１１】
以下、添付図面を参照して、本発明の実施例を説明する。図１は本発明の実施例１及び実施例２に係るシステム構成の概略図である。本システムは、ＴＶ１００、録画再生装置２００、マウス３００から成る。ＴＶ１００は表示装置、録画再生装置２００は外部機器、マウス３００はポインティングデバイスとして機能する。
【００１２】
ＴＶ１００は、ＨＤＭＩ規格に準拠したケーブルで録画再生装置２００と通信可能に接続されている。ＴＶ１００は録画再生装置２００から供給された映像信号にＩ／Ｐ変換やノイズリダクション等の高画質処理を行なう高画質処理手段と、各種の画質処理の組み合わせによる複数の映像モードを備える。また、ＴＶ１００はケーブルを介して、ＨＤＭＩ規格で定められる制御信号（ＣＥＣ）またはＩｎｆｏＦｒａｍｅパケットによって供給されるマウス使用可否情報、マウス操作有無情報に基いて前記映像モードを切換える手段を備える。
【００１３】
録画再生装置２００は放送波を受信して、放送波の映像を蓄積、再生する装置で前記ＴＶ１００とＨＤＭＩケーブルで接続して、蓄積した映像を再生することでＴＶ１００の画面に映像の表示を行う。また、録画再生装置２００は、マウス使用可否状態およびマウスの操作有無状態を監視し、前記２つのマウス状態の情報をＴＶ１００に送信する手段を備える。
【００１４】
マウス３００は録画再生装置２００に接続されていて、ユーザーによるボタン押下、マウスの移動に応じた、マウスイベントや移動量などのマウス信号を録画再生装置２００に送信する。
【実施例１】
【００１５】
上述した映像表示システムに関し、本発明の実施例１の説明を行う。
【００１６】
図２は図１で示した映像表示システムであり、ＴＶ１００と録画再生装置２００のブロック図である。
【００１７】
チューナ部１０１は、デジタル放送波を受信し、復調処理を施す。更に復調後のデータから、映像や音声などを多重化したＴＳ（トランスポートストリーム）データを再生成して後述のＤＥＭＵＸ部１０２へ出力する。またチューナ部１０１は、制御部１１８から与えられるチャンネル切換え指示に応じて、チャンネルを切換える。
【００１８】
ＤＥＭＵＸ部１０２はチューナ部１０１から与えられるＴＳデータを、映像信号、音声信号等に分離し、それぞれのデコード部へ出力する。音声デコード部１０３は、ＤＥＭＵＸ部１０２から与えられる音声ストリームをデコードし、生成した音声信号を音声処理部１０４へ出力する。音声処理部１０４は、音声デコード部１０３からから与えられる放送波の音声信号、後述のパケット処理部１１４から与えられる外部機器の音声信号に対して、音質、臨場感等の音声処理、及び音量調整処理を施し、スピーカ出力部へ出力する。スピーカ出力部１０５は、音声処理部１０４から出力された音声信号をＤ／Ａ変換、及び増幅処理を施し、また制御部１１８から与えられる音量ＵＰ／ＤＯＷＮ指示に応じて音量をＵＰ／ＤＯＷＮしてＴＶ１００に付随するスピーカに出力する。
【００１９】
映像デコード部１０６は、ＤＥＭＵＸ部１０２から与えられる映像ストリームをデコードし、生成した映像信号を入力信号切換え部１０７へ出力する。入力信号切換え部１０７は、映像デコード部１０６から与えられる映像信号と、ＴＭＤＳデコード部１１３から与えられる映像信号とを、制御部１１８から与えられる入力信号切換え指示コードに応じて切換え、画像処理部１０８へ出力する。
【００２０】
画像処理部１０８は、入力信号切換え部１０７から与えられる映像信号に対し、後述の映像モード切換え制御部１１６から与えられる映像モード設定を指示するコードに基いて映像モードを設定し、画像合成部１１０へ映像信号を出力する。
【００２１】
メモリ部１０９は、各種ユーザ設定情報やＧＵＩデータ等を保存する。画像合成部１１０は、前記画像処理部１０８から与えられる映像信号と、後述のＧＵＩ生成部１１９から与えられるＧＵＩ画面データを合成し、表示部１１１へ出力する。表示部１１１は画像合成部から出力される画像を表示する。表示部１１１は、ＴＶ１００の外部にあるモニタであってもよい。
【００２２】
ＨＤＭ  Ｉ／Ｆ部１１２は、外部の機器とＨＤＭＩ規格に準拠したケーブルで接続するためのインターフェースである。ＨＤＭＩ  Ｉ／Ｆ部１１２は、ＤＤＣライン、ＴＭＤＳライン、ＣＥＣライン、ＨＰＤラインを介し、外部機器認証やコピー制御、外部機器制御の為の制御情報の送受信、及び映像及び音声の受信を行う。本実施例では、外部の機器として、録画再生装置２００が接続される。
【００２３】
ＴＭＤＳデコード部１１３はＨＤＭＩ  Ｉ／Ｆ部１１２から与えられるＴＭＤＳエンコードされたデータをＴＭＤＳデコードし、映像信号は入力信号切換え部１０７へ、パケットデータはパケット処理部１１４へそれぞれ出力する。パケット処理部は１１４、ＴＭＤＳデコード部１１３から与えられるデータから音声信号を取り出し、前記音声処理部１０４に出力する。
【００２４】
ＣＥＣ解析部１１５は、ＨＤＭＩ  Ｉ／Ｆ部１１２から与えられるＣＥＣコマンドを解析し、接続先の録画再生装置２００のマウス使用可否情報およびマウス操作有無情報を取得し、後述の映像モード切換え制御部１１６へ出力する。なお、マウス使用可否情報およびマウス操作有無情報については後述する。
【００２５】
映像モード切換え制御部１１６は、ＣＥＣ解析部１１５から与えられるマウス使用可否情報、マウス操作有無情報および、ＨＤＭＩ  Ｉ／Ｆ部１１２から与えられるＨＰＤ（ｈｏｔ  ｐｌｕｇ  ｄｅｔｅｃｔ）情報に基き、映像モードを選択する。具体的には、後述の図５に示す映像モード選択のフローチャートに従って、後述の図４に示す３種類の映像モードから設定すべき一つの映像モードを決定し、映像モードの設定指示コードを画像処理部１０８に出力する。
【００２６】
リモコン受信部１１７は、ＴＶ用のリモコンから出力されるリモコンコードを受信し、受信したリモコンコードを制御部１０８へ転送する。制御部１１８は、リモコン受信部１１７から与えられるリモコンコードを解析する。解析したリモコンコードに応じて、チューナ部１０１へチャンネル切換え等のチューナ制御コード出力や、スピーカ出力部１０５へ音量調整のためスピーカ制御コード出力や、入力信号切換え部１０７へ入力信号切換え制御コードの出力を行なう。
【００２７】
ＧＵＩ生成部１１９は、制御部１１８から与えられるＧＵＩ表示指示コードに従って、ＧＵＩ画面データを生成し、画像合成部１１０へ出力する。
【００２８】
続いて、録画再生装置２００について説明する。
【００２９】
チューナ部２０１はデジタル放送波を受信し、復調処理を施す。更に復調後のデータから、映像や音声などを多重化したＴＳ（トランスポートストリーム）データを再生成して後述のＤＥＭＵＸ部２０２へ出力する。また、チューナ部２０１は、制御部２１３から与えられるチューナ制御コードに応じてチャンネル切換え等の処理を行なう。
【００３０】
ＤＥＭＵＸ部２０２はチューナ部２０１から与えられるＴＳデータまたは、後述の蓄積部２１４から与えられるＴＳデータを、映像信号、音声信号、ＰＳＩ／ＳＩ情報、アプリプログラム等に分離する。映像信号、音声信号はそれぞれのデコード部へ出力し、アプリプログラムおよびＰＳＩ／ＳＩ情報に含まれるＡＩＴ（Ａｐｐｌｉｃａｔｉｏｎ  Ｉｎｆｏｒｍａｔｉｏｎ  Ｔａｂｌｅ）を後述のアプリケーション実行部２０６へ出力する。
【００３１】
音声デコード部２０３は、ＤＥＭＵＸ部２０２から与えられる音声ストリームをデコードし、生成した音声信号をパケット処理部２０４へ出力する。パケット処理部２０４は、音声デコード部２０３から与えられる音声信号をパケット化し、ＴＭＤＳエンコード部２１０へ出力する。
【００３２】
映像デコード部２０５は、ＤＥＭＵＸ部２０２から与えられる映像ストリームをデコードし、生成した映像信号を画像合成部２０９へ出力する。
【００３３】
アプリケーション実行部２０６は、ＤＥＭＵＸ部２０２から与えられるアプリケーションプログラム、ＡＩＴおよび、後述の制御部２１３から与えられるリモコンコードに従って、ＧＵＩの表示指示コードを後述のＧＵＩ生成部２１５へ出力する。また、アプリケーション実行部２０６ではＪａｖａ（登録商標）のアプリケーションプログラムが実行中に、マウスを使用する際に必要な“ＭｏｕｓｅＬｉｓｔｅｎｅｒ”の登録がＣｏｍｐｏｎｅｎｔクラスのメソッド“ａｄｄＭｏｕｓｅＬｉｓｔｅｎｅｒ”によって実行された場合に「ＭｏｕｓｅＬｉｓｔｅｎｅｒ登録有り」をマウス使用可否情報作成部２０７に出力する。また、メソッド“ｒｅｍｏｖｅＭｏｕｓｅＬｉｓｔｅｎｅｒ”が発行された場合、またはアプリケーション終了時には「ＭｏｕｓｅＬｉｓｔｅｎｅｒ登録無し」をマウス使用可否情報作成部２０７に出力する。
【００３４】
マウス使用可否情報作成部２０７は、後述のマウスＩ／Ｆ部２１８からマウス接続時および接続解除時に与えられるマウス接続状態（接続／非接続）と、アプリケーション実行部２０６からアプリケーション実行開始時および停止時に与えられる「ＭｏｕｓｅＬｉｓｔｅｎｅｒ登録の有無」をメモリに保存する。これら２つの情報のうちいずれかが変化した際、２つの情報の論理積（マウス接続状態が「接続」で、且つＭｏｕｓｅＬｉｓｔｅｎｅｒ登録の有無が「有」である場合に「マウス使用可」。それ以外の組み合わせ時は「マウス使用不可」）をマウス使用可否情報として生成し、ＣＥＣ作成部２０８へ出力する。マウス使用可否情報作成部２０７が第１の生成手段として機能する。
【００３５】
ＣＥＣ作成部２０８はマウス使用可否情報作成部２０７から与えられるマウス使用可否情報及びマウス操作有無状態解析部２１９から与えられるマウス操作有無情報を用いて、後述の図３に従った形式でＣＥＣデータを生成し、ＨＤＭＩ  Ｉ／Ｆ部２１１へ出力する。
【００３６】
画像合成部２０９は、前記映像デコード部２０５から与えられる映像信号と、後述のＧＵＩ生成部２１５から与えられるＧＵＩ画面データおよび、カーソル生成部２１６から与えられるカーソル表示データを合成し、ＴＭＤＳエンコード部２１０へ出力する。
【００３７】
ＴＭＤＳエンコード部２１０は、画像合成部２０９から与えられる映像信号およびパケット処理部２０４から与えられるパケットデータをＴＭＤＳエンコードし、ＨＤＭＩ  Ｉ／Ｆ部２１１へ出力する。
【００３８】
ＨＤＭＩ  Ｉ／Ｆ部２１１は、ＴＭＤＳエンコード部２１０から与えられるＴＭＤＳデータおよび、後述のＣＥＣ作成部２０８から与えられるＣＥＣコマンドをＨＤＭＩケーブルで接続された外部の機器に送信する。
【００３９】
リモコン受信部２１２は、録画再生装置２００用のリモコンから出力されるリモコンコードを受信し、受信したリモコンコードを制御部２１３へ転送する。制御部２１３は、リモコン受信部２１２から与えられるリモコンコードを解析し、リモコンコードに応じて、蓄積部２１４へ録画開始・再生開始等の制御コード出力などを実行する。また、制御部２１３は、アプリケーション実行部２０６へのリモコンコードの転送も行なう。また、制御部２１３は、マウスＩ／Ｆ部２１８から与えられるマウスイベントコードおよびマウスカーソル移動量差分データに従い、それぞれアプリケーション実行部２０６へのイベントコードの出力およびカーソル表示生成部２１６へカーソル表示座標の出力を行う。
【００４０】
蓄積部２１４は、制御部２１３から与えられる録画開始・再生開始等の制御コードに応じて、チューナ部２０１から与えられるＴＳデータの記録、再生等を行う。再生時は、記録したＴＳデータをＤＥＭＵＸ部２０２に出力する。
【００４１】
ＧＵＩ生成部２１５は、制御部２１３およびアプリケーション実行部２０６から与えられるＧＵＩ表示指示コードに従ってＧＵＩ画面データを生成し、画像合成部２０９へ出力する。
【００４２】
カーソル表示生成部２１６は、制御部２１３から与えられるカーソル表示座標に基づいて、カーソル表示データを生成し、画像合成部２０９へ出力する。メモリ部２１７は、各種ユーザ設定情報やＧＵＩデータ、カーソル表示データ等を保存する。マウスＩ／Ｆ部２１８は、マウス３００から与えられるマウスイベントコード、マウスカーソル移動量差分データを検知し、制御部２１３および後述のマウス操作有無状態解析部２１９へ出力する。また、マウスＩ／Ｆ部２１８は、マウス接続時および接続解除時に、マウス接続状態をマウス使用可否情報作成部２０７に出力する。
【００４３】
マウス操作有無状態解析部２１９は、マウスＩ／Ｆ部２１８から与えられるマウスイベントコードおよびマウスカーソル移動量差分データに基づいて、マウスの操作状態を示すマウス操作有無情報を生成し、ＣＥＣ作成部２０８へ出力する。マウス操作有無状態解析部２１９が第２の生成手段として機能する。
【００４４】
本件の特徴となる、映像欠落や画面静止時間を低減する映像モードの切換え動作について、その詳細を図３、図４、図５、図６を用いて以下に説明する。
【００４５】
まず、図３では、本実施例において、録画再生装置２００からＴＶ１００に送出するＣＥＣデータの内容を説明する。
【００４６】
図３（ａ）は、ＨＤＭＩ規格で定義されているＣＥＣのベンダーコマンドのコマンドフレームを説明したものである。Ｄａｔａ  Ｂｌｏｃｋ１のＯｐｃｏｄｅの値“８９ｈ”がベンダー定義コマンドであることを意味している。Ｄａｔａ  Ｂｌｏｃｋ２乃至４には、ベンダーを識別する値が入る（例：００００ＦＦ）。Ｄａｔａ  Ｂｌｏｃｋ５以降はベンダーが定義する内容であり、以下に本実施例における定義内容を図３（ｂ）、図３（ｃ）を用いて説明する。
【００４７】
図３（ｂ）は、本実施例におけるベンダー定義コマンドの内容を示している。Ｒｅｐｏｒｔ  Ｍｏｕｓｅ  Ｓｔａｔｕｓ（０ｘ８１）は、録画再生装置２００からＴＶ１００にマウス状態を通知するコマンドである。Ｐａｒａｍｅｔｅｒｓ欄に記載の［Ｍｏｕｓｅ  Ｓｔａｔｕｓ］については、後述の図３（ｃ）で説明する。なお、Ｇｉｖｅ  Ｍｏｕｓｅ  Ｓｔａｔｕｓ（０ｘ８０）はＴＶ１００から録画再生装置２００に対してマウス状態を問い合わせるコマンドであり、本実施例では使用していないが、このコマンドを用いてマウス状態を取得する実施形態でも良い。
【００４８】
図３（ｃ）は、Ｒｅｐｏｒｔ  Ｍｏｕｓｅ  Ｓｔａｔｕｓ（０ｘ８１）のパラメータ［Ｍｏｕｓｅ  Ｓｔａｔｕｓ］の内容である。ｂｉｔ０はマウス使用可否状態で、０：否／１：可と定義する。ｂｉｔ１  はマウス操作有無状態で、０：無／１：有と定義する。
【００４９】
図４は、本実施例のＴＶ１００が持つ映像モードの種類と、画像処理のために必要なフレーム数および遅延時間を示した表である。本実施例のＴＶ１００は遅延量の低い順に、ゲームモード、スタンダードモード、ダイナミックモードの３種類の映像モードを持つ。通常、これらの映像モードのうち、任意の映像モードが１つ選択された状態となっている。
【００５０】
図５は、本発明の実施例１に係るＴＶ１００の映像モード切換え制御部１１６が行なう映像モード切換え判定処理のフローチャートである。映像モード切換え制御部１１６は、ＨＤＭＩ  Ｉ／Ｆ部１１２から与えられるＨＰＤ（ｈｏｔ  ｐｌｕｇ  ｄｅｔｅｃｔ）情報及びＣＥＣ解析部１１５から与えられるマウス使用可否情報の論理積（ＨＰＤ情報が「接続」且つマウス使用可否情報が「可」である場合に「マウス使用可」。それ以外の組み合わせ時は「マウス使用不可」）によって、マウスの使用可否を判定し（Ｓ６０１）、“否“の場合は映像モードをダイナミックモードに設定することを画像処理部１０８に対して指示する（Ｓ６０２）。
【００５１】
Ｓ６０１の判定が“可“の場合は、ＣＥＣ解析部１１５から与えられるマウス操作有無情報に応じて、マウスの操作有無を判定する（Ｓ６０３）。Ｓ６０１の判定が“無“の場合（無操作の場合）は、映像モードを「中間モード」と定めたスタンダードモードに設定することを画像処理部１０８に対して指示する（Ｓ６０４）。なお前記「中間モード」は３種類の映像モードの遅延時間を昇順（または降順）に並べた際に中央に位置する値（中央値）である「スタンダードモード」と予め定め、固定値として持っている。”有“の場合（操作有りの場合）は、映像モードをゲームモードに設定することを画像処理部１０８に対して指示する（Ｓ６０５）。
【００５２】
図６は、本発明の実施例１に係るＴＶ１００の映像モード切換え時のシーケンス図である。録画再生装置２００のマウス使用可否状態が“否”から“可”に変わり、ＴＶ１００にマウス使用可能であることを通知するタイミングに着目する。この時の録画再生装置２００のマウス操作有無状態は”無“であるため、映像モードをスタンダードモードに設定する。この切換えに必要な時間は３３ｍｓであり、遅延時間が減少する方向への切換え時には必要フレーム数の差分の映像欠落を伴うため、６フレームの映像欠落となる。
【００５３】
次に、録画再生装置２００のマウス操作有無状態が“無“から”有“に変わり、ＴＶ１００にマウス操作が無いことを通知するタイミングに着目する。映像モードの設定はスタンダードモードからゲームモードに変わり、切換えに必要な時間は３３ｍｓであり、２フレームの映像欠落となる。従って、ダイナミックモードからゲームモードにダイレクトに切換える場合と比べると、映像の欠落を抑えられている。
【００５４】
次に録画再生装置２００のマウス操作有無状態が“有“から“無“に変わり、ＴＶ１００にマウス操作があることを通知するタイミングに着目する。映像モードの設定はゲームモードからスタンダードモードに変わり、切換えに必要な時間は、遅延時間が増加する方向への切換え時には遅延時間の差分の時間が必要であることを考慮すると６６ｍｓとなる。ゲームモードからダイナミックモードにダイレクトに切換える場合と比べると、切換えに必要な時間を抑えられている。
【００５５】
次に、録画再生装置２００のマウス使用可否状態が“可”から“否”に変わり、ＴＶ１００にマウス使用不可能であることを通知するタイミングに着目する。映像モードの設定はスタンダードモードからダイナミックモードに変わり、切換えに必要な時間は１３３ｍｓとなる。
【００５６】
以上、本実施例によれば、ＴＶ１００、録画再生装置２００、マウス３００からなる映像表示システムにおいて、録画再生装置２００がマウス使用不可状態である場合はＴＶ１００の映像モードを画質を優先したモード（ダイナミックモード）にする。一方、録画再生装置２００がマウス使用可能状態である場合は、切換え時に映像欠落や画面静止が発生し難い２つのモード（ゲームモードとスタンダードモード）を録画再生装置２００のマウス操作有無情報に応じて切換える。つまり、マウス使用可能状態でマウスが操作されていない場合に、最も遅延時間の長い映像モードが選択されている場合には、最も遅延時間の短い映像モード及び最も遅延時間の長い映像モード以外の映像モードを選択する。これにより、映像の欠落や表示の静止といった課題を極力抑制した映像表示システムを提供することが可能となる。
【実施例２】
【００５７】
続いて、本発明の第２の実施例を説明する。図７は、本実施例２に係るＴＶ８００のブロック図である。構成としては、実施例１に係るＴＶ１００とほぼ同様となるため、ここでは全てのブロックの説明は割愛し、実施例２にのみ存在するＩｎｆｏＦｒａｍｅ解析部８１５の説明を行う。また、実施例１とは処理が異なる、パケット処理部８１４、映像モード切換え制御部８１６、制御部８１８についても以下に説明する。
【００５８】
ＩｎｆｏＦｒａｍｅ解析部８１５は、後述のパケット処理部８１４から与えられるＩｎｆｏＦｒａｍｅデータを解析し、接続先の録画再生装置９００のマウス使用可否情報およびマウス操作有無情報を取得し、後述の映像モード切換え制御部８１６へ出力する。
【００５９】
パケット処理部８１４は、ＴＭＤＳデコード部８１３から与えられるデータから、音声信号およびＩｎｆｏＦｒａｍｅデータを取り出し、それぞれ音声処理部８０４、ＩｎｆｏＦｒａｍｅ解析部８１５へ出力する。
【００６０】
映像モード切換え制御部８１６は、ＩｎｆｏＦｒａｍｅ解析部８１５から与えられるマウス使用可否情報、マウス操作有無情報、ＨＰＤ情報及び記憶されている映像モードに基き、図１０に示すフローチャートに従って一つの映像モードを決定する。そして、決定した映像モードの設定指示コードを画像処理部８０８に出力する。
【００６１】
実施例２においては、ユーザが映像モードを選択することも可能であり、制御部８１８が画像処理部８０８に対して映像モード設定制御コードを出力すると共に、メモリ部８０９へユーザが設定した映像モードを記憶する。
【００６２】
録画再生装置９００については、実施例１に係る録画再生装置２００とほぼ同様となるため、ここでは全てのブロックの説明は割愛し、実施例２にのみ存在するＩｎｆｏＦｒａｍｅ作成部９０８についてのみ、以下に説明する。
【００６３】
Ｉｎｆｏｆｒａｍｅ作成部９０８は、マウス使用可否情報作成部９０７からのマウス使用可否情報及びマウス操作有無状態解析部９１９から与えられるマウス操作有無情報を用いて、後述のＩｎｆｏｆｒａｍｅデータを作成し、パケット処理部９０４へ出力する。
【００６４】
本件の特徴となる、映像欠落や画面静止時間を低減する映像モードの切換え動作について、その詳細を図８、図９、図１０、図１１を用いて説明する。
【００６５】
まず、図８では、本実施例において、録画再生装置９００からＴＶ８００に送信するＴＭＤＳデータに含まれるフレーム情報であるＩｎｆｏＦｒａｍｅの内容を説明する。
【００６６】
図８（ａ）は、ＨＤＭＩ規格で定義されているＩｎｆｏＦｒａｍｅのＶｅｎｄｅｒ  Ｓｐｅｃｉｆｉｃ  ＩｎｆｏＦｒａｍｅを説明したものである。ＩｎｆｏＦｒａｍｅ  Ｔｙｐｅ  Ｃｏｄｅの値が“０１ｈ”であり、ＩｎｆｏＦｒａｍｅ  Ｖｅｒｓｉｏｎ  Ｎｕｍｂｅｒ  の値が”０１ｈ“であることがＶｅｎｄｅｒ  Ｓｐｅｃｉｆｉｃ  ＩｎｆｏＦｒａｍｅであることを意味している。Ｌｅｎｇｔｈ  ｏｆ  Ｖｅｎｄｏｒ  Ｓｐｅｃｉｆｉｃ  ＩｎｆｏＦｒａｍｅにはＩｎｆｏＦｒａｍｅの全バイト数が入る。Ｄａｔａ  Ｂｙｔｅ１乃至３にはベンダーを識別する値が入る（例：  ００００ＦＦ）。Ｄａｔａ  Ｂｙｔｅ４はベンダーが定義する内容であり、以下に本実施例における内容を図８（ｂ）、図８（ｃ）を用いて説明する。
【００６７】
図８（ｂ）は、Ｖｅｎｄｏｒ  Ｓｐｅｃｉｆｉｃ  ＩｎｆｏＦｒａｍｅのＤａｔａ  Ｂｙｔｅ４［ｂｉｔ７］を示している。本実施例においてはこのビットをマウス使用可否状態：Ｍｏｕｓｅ  Ｕｓｅ  Ｐｏｓｓｉｂｉｌｉｔｙ（ＭＵＰ）とし、０：否／１：可と定義する。
【００６８】
図８（ｃ）は、Ｖｅｎｄｏｒ  Ｓｐｅｃｉｆｉｃ  ＩｎｆｏＦｒａｍｅのＤａｔａ  Ｂｙｔｅ４［ｂｉｔ６］を示しており、本実施例においてはこのビットをマウス操作有無状態：Ｍｏｕｓｅ  Ｏｐｅｒａｔｉｏｎ  Ｐｒｅｓｅｎｃｅ（ＭＯＰ）とし、０：無／１：有と定義する。
【００６９】
なお、本実施例ではベンダー定義のＩｎｆｏＦｒａｍｅ（Ｖｅｎｄｅｒ  Ｓｐｅｃｉｆｉｃ  ＩｎｆｏＦｒａｍｅ）を用いたが、標準のＩｎｆｏＦｒａｍｅ（ＡＶＩ  ＩｎｆｏＦｒａｍｅ等）を用いても良い。
【００７０】
図９は、実施例２に係るＴＶ８００が持つ映像モードの種類に対応する画像処理のために必要なフレーム数および遅延時間を示した表である。本実施例のＴＶ８００は遅延量の低い順に、ゲームモード、ナチュラルモード、スタンダードモード、シネマモード、ダイナミックモードの５種類の映像モードを持つ。
【００７１】
図１０は、本発明の実施例２に係るＴＶ８００の映像モード切換え制御部８１６が行なう映像モード切換え判定処理のフローチャートである。映像モード切換え制御部８１６は、ＨＤＭＩ  Ｉ／Ｆ部８１２から与えられるＨＰＤ（ｈｏｔ  ｐｌｕｇ  ｄｅｔｅｃｔ）情報および、ＩｎｆｏＦｒａｍｅ解析部８１５から与えられるマウス使用可否情報に基づいて、マウスの使用可否を判定する（Ｓ１２０１）。判定結果が“否“の場合は映像モードをユーザが選択している映像モードに設定することを画像処理部８０８に対して指示する（Ｓ１２０２）。判定結果が”可“の場合は、ユーザが選択している映像モードの遅延時間と予め定めてある「中間モード」の遅延時間を比較する（Ｓ１２０３）。比較において「中間モード」の遅延時間が長い又は等しい場合（“Ｙ”の場合）は、ユーザのマウス操作が無い場合に設定する映像モードの記憶領域として用意する「マウス操作無し時設定モード」に”ユーザーが設定した映像モード”を記憶する（Ｓ１２０４）。「中間モード」の遅延時間が短い場合（“Ｎ”の場合）は、「マウス操作無し時設定モード」に「中間モード」を記憶する（Ｓ１２０５）。なお前記「中間モード」は５種類の映像モードの遅延時間を昇順（または降順）に並べた際に中央に位置する値（中央値）である「スタンダードモード」と予め定め、固定値として持っている。次にＩｎｆｏｆｒａｍｅ解析部８１５から与えられるマウス操作有無情報に応じて、マウスの操作有無を判定する（Ｓ１２０６）。判定結果が”無“の場合は、映像モードを「マウス操作無し時設定モード」として記憶しておいた映像モードに設定することを画像処理部８０８に対して指示する（Ｓ１２０７）。判定結果が”有“の場合は、映像モードをゲームモードに設定することを画像処理部８０８に対して指示する（Ｓ１２０８）。
【００７２】
図１１は、実施例２に係るＴＶ８００の映像モード切換え処理における、前述のフローチャートのＳ１２０３の判定が“Ｙ”の場合のシーケンス図である。
【００７３】
録画再生装置９００のマウス使用可否状態が“否”から“可”に変わり、ＴＶ８００にマウス使用可能であることを通知するタイミングに着目する。この時ＴＶ８００の映像モードは、「中間モード」の遅延時間以下の映像モードであるため、映像モードの切換えは行なわない。録画再生装置９００のマウス使用可否状態が“可”から“否”に変わり、ＴＶ８００にマウス使用不可能であることを通知するタイミングにおいても、既にユーザが選択した映像モードが設定されているため、映像モードの切換えは行なわない。なお、録画再生装置９００のマウス操作有無状態変化時については、実施例１と同様の動作となるため説明は割愛する。また、前述のフローチャートのＳ１２０３の判定が“Ｎ”の場合のシーケンスについても、実施例１のシーケンスと同様の動作となるため説明は割愛する。
【００７４】
以上、本実施例によれば、録画再生装置９００がマウス使用不可状態である場合はＴＶ８００の映像モードをユーザが選択した映像モードにする。一方、録画再生装置９００がマウス使用可能状態である場合は、ユーザが選択している映像モードの遅延時間が「中間モード」の遅延時間より長いか否かを判定する。長いと判定した場合には、切換え時に映像欠落や画面静止が発生し難い２つのモード（ゲームモードと、「中間モード」）を、録画再生装置９００のマウス操作有無情報に応じて切換える。これにより、映像の欠落や表示の静止といった課題を極力抑制した映像表示システムを提供することが可能となる。
【図１】
2011120024.tif 000003
【図２】
2011120024.tif 000004
【図３】
2011120024.tif 000005
【図４】
2011120024.tif 000006
【図５】
2011120024.tif 000007
【図６】
2011120024.tif 000008
【図７】
2011120024.tif 000009
【図８】
2011120024.tif 000010
【図９】
2011120024.tif 000011
【図１０】
2011120024.tif 000012
【図１１】
2011120024.tif 000013